(57)【要約】  【課題】綴じ具を操作する際に、指等が紙葉類と干渉して使いづらく感じられる不具合の発生を抑える。  【解決手段】綴じ具２に、綴じ桿２１と、綴じ桿２１を支持し全閉状態と全開状態との間で作動可能な綴じ桿支持部材２２と、前記綴じ桿支持部材２２を少なくとも全閉状態に保持するロック機構Ｒと、１つのみ設けられて紙葉類の配置領域内に配され、紙葉類の配置領域外から紙葉類の配置領域内へ向かう方向へのスライド操作を受け前記ロック機構Ｒの保持状態を解除する機能を有する操作部３とを有する構成を採用する。  【選択図】図４
2006103001.tif 000002
【特許請求の範囲】
【請求項１】
綴じ桿と、綴じ桿を支持し全閉状態と全開状態との間で作動可能な綴じ桿支持部材と、前記綴じ桿支持部材を少なくとも全閉状態に保持するロック機構と、１つのみ設けられて紙葉類の配置領域内に配され、紙葉類の配置領域外から紙葉類の配置領域内へ向かう方向へのスライド操作を受け前記ロック機構の保持状態を解除する機能を有する操作部とを有することを特徴とする綴じ具。
【請求項２】
前記綴じ桿支持部材が、第１支持要素と第２支持要素とを蝶着してなるとともに、前記第１支持要素又は第２支持要素の一方にロック爪を形成し、他方にこのロック爪を収納可能な空間を形成していることを特徴とする請求項１記載の綴じ具。
【請求項３】
前記ロック機構が、前記ロック爪と、前記操作部と連動可能なロック板に形成した係合凹部の開口端縁とを係合させてなるものであるとともに、前記第１支持要素又は第２支持要素の他方にロック爪挿通凹部を形成し、操作部に対する前記スライド操作を受けた際に前記ロック爪と前記開口端縁との係合状態が解除される構成を有することを特徴とする請求項２記載の綴じ具。
【請求項４】
前記操作部を紙葉類の配置領域外側に付勢する対操作部付勢要素をさらに有することを特徴とする請求項１、２又は３記載の綴じ具。
【請求項５】
前記綴じ桿支持部材を全開状態側に付勢する支持部材付勢要素をさらに有することを特徴とする請求項１、２、３又は４記載の綴じ具。
【請求項６】
前記ロック機構が、前記綴じ桿支持部材を、前記全閉状態と、前記全閉状態及び全開状態の中間の状態である半開状態とに選択的に保持可能であることを特徴とする請求項１、２、３、４又は５記載の綴じ具。
【請求項７】
表紙体と、表紙体に取り付けられる綴じ具とを具備するとともに、前記綴じ具が、綴じ桿と、綴じ桿を支持し全閉状態と全開状態との間で作動可能な綴じ桿支持部材と、前記綴じ桿支持部材を少なくとも全閉状態に保持するロック機構と、紙葉類の配置領域内に配され、紙葉類の配置領域外から紙葉類の配置領域内へ向かう方向へのスライド操作を受け前記ロック機構の保持状態を解除する機能を有する操作部とを有することを特徴とするファイル。
【発明の詳細な説明】
【技術分野】
【０００１】
本発明は、綴じ桿と、綴じ桿を支持し全閉状態と全開状態との間で作動可能な綴じ桿支持部材とを有する綴じ具、及びこのような綴じ具を利用したファイルに関する。
【背景技術】
【０００２】
従来より、対をなして設けられる綴じ桿を全閉状態と全開状態との間で作動可能に構成しているとともに、この綴じ桿を全閉状態に係止するロック機構を有するタイプの綴じ具において、操作部に対して操作を加えることにより綴じ桿を全閉状態に係止した状態を解除する構成が広く知られている。（例えば特許文献１参照。）
特許文献１記載の構成では、操作部を綴じ具の側縁部に設け、この操作部を綴じ具の幅方向中央に向け押圧する操作により綴じ桿を全閉状態に係止した状態を解除するようにしている。
【特許文献１】特開２００３−３１２１８１号公報
【発明の開示】
【発明が解決しようとする課題】
【０００３】
ところで、特許文献１記載の構成では、このような綴じ具を有するファイルを見開き状態にした状態で紙葉類を着脱する場合、綴じ具の側縁部にアクセスして操作部に対して操作を加える必要がある。
【０００４】
しかして、紙葉類を綴じた状態においてファイルを見開き状態にすると、紙葉類が綴じ具の側縁部に位置する操作部を覆う状態になることがあり、操作部に操作を加えるためにはこのような紙葉類をどける必要が生じることがある。すなわち、特許文献１記載の構成では紙葉類の配置領域内にアクセスして操作を行う必要があるので、指等が紙葉類と干渉して使いづらく感じられる不具合が生じることがある。
【０００５】
本発明は、このような課題を解決すべく構成するものである。
【課題を解決するための手段】
【０００６】
すなわち、本発明に係る綴じ具は、綴じ桿と、綴じ桿を支持し全閉状態と全開状態との間で作動可能な綴じ桿支持部材と、前記綴じ桿支持部材を少なくとも全閉状態に保持するロック機構と、１つのみ設けられて紙葉類の配置領域内に配され、紙葉類の配置領域外から紙葉類の配置領域内へ向かう方向へのスライド操作を受け前記ロック機構の保持状態を解除する機能を有する操作部とを有することを特徴とする。また、本発明に係るファイルは、このような綴じ具と、表紙体とを具備することを特徴とする。
【０００７】
このようなものであれば、紙葉類の配置領域外から紙葉類の配置領域内へ向かう方向への操作部へのスライド操作を受けて前記ロック機構の保持状態を解除するようにしていることから、紙葉類の配置領域内に指等を入れた状態で操作を行う必要をなくすことができる。すなわち、紙葉類の配置領域内に指等を入れてから操作を行う態様と比較して、指等が紙葉類と干渉して使いづらく感じられる不具合の発生を抑えることができる。さらに、操作部を１つのみ設けるようにしているので、前記ロック機構の保持状態の解除を片手で行なえるようにできる。
【０００８】
このような綴じ具を容易に実現できる構成として、前記綴じ桿支持部材が、第１支持要素と第２支持要素とを蝶着してなるとともに、前記第１支持要素又は第２支持要素の一方にロック爪を形成し、他方にこのロック爪を収納可能な空間を形成しているものが挙げられる。このようなものであれば、前記空間にロック爪を係止するロック板等を外観を損ねずに無理なく配置できるからである。
【０００９】
前段で述べたような綴じ具を具体的に実現できるようにするための構成として、前記ロック機構が、前記ロック爪と、前記操作部と連動可能なロック板に形成した係合凹部の開口端縁とを係合させてなるものであるとともに、前記第１支持要素又は第２支持要素の他方にロック爪挿通凹部を形成し、操作部に対する前記スライド操作を受けた際に前記ロック爪と前記開口端縁との係合状態が解除される構成を有するものが挙げられる。
【００１０】
このような綴じ具において、紙葉類を安定して綴じ具に綴じておけるようにするための構成として、前記操作部を紙葉類の配置領域外側に付勢する対操作部付勢要素をさらに有するものが挙げられる。このようなものであれば、前記操作部を紙葉類の配置領域外側に付勢することにより、ロック機構がより安定して前記綴じ桿支持部材を少なくとも全閉状態に保持できるようになるからである。
【００１１】
また、紙葉類の出し入れを容易に行うことができるようにするための態様として、前記綴じ桿支持部材を全開状態側に付勢する対ベース付勢要素をさらに有するものが挙げられる。このようなものであれば、前記操作部に対する操作を受けてロック機構の保持状態が解除された際に前記綴じ桿支持部材が全開状態側に向けて作動するからである。
【００１２】
紙葉類をこのような綴じ具に綴じた際に紙葉類に記された内容を探しやすくするための態様として、前記ロック機構が、前記綴じ桿支持部材を、前記全閉状態と、前記全閉状態及び全開状態の中間の状態である半開状態とに選択的に保持可能であるものが挙げられる。このようなものであれば、前記綴じ桿支持部材を半開状態として、紙葉類がバラバラになる不具合の発生を抑えつつ紙葉類を見開き状態にしやすくできるからである。
【００１３】
なお、本発明において、操作部を「紙葉類の配置領域内に配する」とは、操作部の少なくとも一部が紙葉類の配置領域内に位置するようにすることを示す概念である。また、操作部に対する「紙葉類の配置領域外から紙葉類の配置領域内へ向かう方向へのスライド操作」とは、操作部の一部が紙葉類の配置領域外にある場合に該操作部を紙葉類の配置領域内へ向かう方向へスライドさせる操作、及び操作部の全体が紙葉類の配置領域内にある場合に、紙葉類の配置領域外から該操作部にアクセスして該操作部を紙葉類の綴じ端縁に沿って綴じ具の中央に向かいスライドさせる操作の双方を含む概念である。
【発明の効果】
【００１４】
本発明に係る綴じ具及びファイルは、紙葉類の配置領域外から紙葉類の配置領域内へ向かう方向への操作部へのスライド操作を受けて前記ロック機構の保持状態を解除するようにしていることから、紙葉類の配置領域内に指等を入れてから操作を行う態様と比較して、指等が紙葉類と干渉して使いづらく感じられる不具合の発生を抑えることができる。
【発明を実施するための最良の形態】
【００１５】
以下、本発明の一実施形態について図面を参照して説明する。
【００１６】
本実施形態に係るファイルＦは、全体斜視図を図１に示すように、表紙体１と、表紙体１の内面に取り付けられる綴じ具２とを具備する。
【００１７】
前記表紙体１は、本実施形態では１枚のボール紙により形成され、背表紙１１の両側縁に表表紙１２と裏表紙１３を一体に連設してなり、背表紙１１の内面の所定箇所に綴じ具２を取り付けるようにしている。そして、この表紙体１は、綴じ具２の固定に耐えうる剛性を有するとともに、表表紙１２及び裏表紙１３が容易に折れ曲がることがないようになっている。
【００１８】
前記綴じ具２は、綴じピン２１１を綴じパイプ２１２に挿入して係合させる構成を有する綴じ桿２１と、第１支持要素２３と第２支持要素２４とを蝶番部２５を介して蝶着してなり、綴じ桿２１を支持し全閉状態と全開状態との間で作動可能な綴じ桿支持部材２２と、前記綴じ桿支持部材２２を少なくとも全閉状態に保持するロック機構Ｒと、紙葉類の配置領域内に配され、紙葉類の配置領域外から紙葉類の配置領域内へ向かう方向へのスライド操作を受け前記ロック機構の保持状態を解除する機能を有する操作部３とを有する。ここで、前記図１には、この綴じ具２が全閉状態にあるファイルＦを示している。また、図２には、この綴じ具２が全開状態にあるファイルＦを示している。そして、図３には、この綴じ具２が前記全閉状態と前記全開状態との中間の状態である半開状態にあるファイルＦを示している。さらに、前記全閉状態にある綴じ具２の平面図を図４の（ａ）、この図４の（ａ）におけるａ−ａ断面図を同図の（ｂ）にそれぞれ示している。また、前記図４の（ａ）において、前記綴じピン２１１及び前記綴じパイプ２１２の先端部は省略して示している。
【００１９】
前記綴じ桿２１を形成する前記綴じピン２１１及び前記綴じパイプ２１２は、前記図４の（ｃ）に示すように、前記蝶番部２５を中心とする円弧状をなしている。
【００２０】
前記第１支持要素２３は、前記図１〜図４、及びこの第１支持要素２３を示す図である図５に示すように、略背表紙１１に沿う平板部２３１と、背表紙１１から離間して背表紙１１との間に空間を形成する収納部２３２と、これら平板部２３１及び収納部２３２を接続する接続部２３３と、前記収納部２３２の外側端縁から起立して設けられ前記綴じ桿２１を支持する第１綴じ桿支持部２３４と、前記第１綴じ桿支持部２３４の内側端縁から垂下して設けられる垂下壁２３５と、前記垂下壁２３５から前記第２支持要素２４に向けて突出させて設けられるロック爪２３６とを具備する。前記第１綴じ桿支持部２３４は表表紙１２に止着されている。なお、前記図５において、同図の（ａ）はこの第１支持要素２３の平面図、同図の（ｂ）は同側面図、同図の（ｃ）は同図の（ｂ）におけるｂ−ｂ断面図である。また、前記図５の（ａ）及び（ｂ）において、前記綴じピン２１１及び前記綴じパイプ２１２の先端部は省略して示している。
【００２１】
一方、前記第２支持要素２４は、前記図１〜図４、及びこの第２支持要素２４を示す図である図６に示すように、略背表紙１１に沿う平板部２４１と、背表紙１１から離間して背表紙１１との間にロック爪収納空間２ｓを形成する収納部２４２と、これら平板部２４１及び収納部２４２を接続する接続部２４３と、前記収納部２４３の外側端縁から起立して設けられ前記綴じ桿２１を支持する第２綴じ桿支持部２４４と、前記収納部２４３の内側端縁から垂下して設けられ、前記ロック爪２３１を挿通させるロック爪挿通凹部たるロック爪挿通孔２４ａを有する垂下壁２４５とを具備する。前記第２綴じ桿支持部２４４は裏表紙１３に止着されている。なお、前記図６において、同図の（ａ）はこの第２支持要素２４の平面図、同図の（ｂ）は同側面図、同図の（ｃ）は同図の（ｂ）におけるｃ−ｃ断面図である。また、前記図６の（ａ）及び（ｂ）において、前記綴じピン２１１及び前記綴じパイプ２１２の先端部は省略して示している。
【００２２】
前記蝶番部２５は、前記第１支持要素２３及び前記第２支持要素２４の下端部にそれぞれ形成した蝶着ピン挿通孔２５ａ、２５ｂに図示しない蝶着ピンを挿通させて形成している。また、本実施形態では支持部材付勢要素たるねじりコイルバネＳ２を第１支持要素２３と第２支持要素２４との間に介在させて全開状態側に付勢している。
【００２３】
そして本実施形態では、第１綴じ桿支持部２３４及び第２綴じ桿支持部２４４に、前記綴じピン２１１及び前記綴じパイプ２１２をそれぞれ１個ずつ支持させるようにしている。
【００２４】
前記操作部３は、前記図４に示すように、また、図７の（ａ）に平面図、同図の（ｂ）に側面図、同図の（ｃ）に正面図をそれぞれ示すように、平板状をなす操作部本体３１と、この操作部本体３１の一側端縁から起立させて形成したロック板３２とを有し、前記操作部本体３１の端縁に操作つまみ３１１を形成して綴じ桿支持部材２２の側方に位置させているとともに、前記ロック板３２を前記ロック爪収納空間２ｓに収納するようにしている。また、前記ロック板３２の長手方向両端部には、前記第２支持要素２４の垂下壁２４５と優先して当接する当接部３２１ａ、３２１ｂを形成していて、この当接部３２１ａ、３２１ｂの上縁に、側端縁が前記ロック爪２３６と係合可能な係合凹部３２ｘを切り欠いて形成している。さらに、このロック板３２には、長手方向中央部に起立させてバネ押さえ部３２１を形成し、対操作部付勢要素たる圧縮バネＳ１の一端部を取り付けるようにしているとともに、このバネ押さえ部３２１から前記操作つまみ３１１と反対側に延伸させて圧縮バネ挿通孔３２ｙを形成している。また、第２支持要素２４にも圧縮バネ挿通孔２４ｘ、２４ｙを形成していて、前記圧縮バネＳ１の他端部をこれら圧縮バネ挿通孔２４ｘ、２４ｙに挿通させてこの圧縮バネＳ１を第２支持要素２４に固定するようにしている。そして、これら第１支持要素２４の圧縮バネ挿通孔２４ｘ、２４ｙと、及びロック板３２の圧縮バネ挿通孔３２ｘとを合致させた状態でこの圧縮バネＳ１をロック板３２の圧縮バネ挿通孔３２ｘに挿通させ、この圧縮バネＳ１により前記操作部３を第１支持要素２３及び第２支持要素２４側、すなわち全閉状態側に付勢している。なお、本実施形態において、前記操作つまみ３１１はその一部が紙葉類の配置領域外にはみ出すようにしているが、操作つまみ３１１の全体を紙葉類の配置領域内に位置させてもよい。
【００２５】
前記ロック機構Ｒは、前記ロック爪２３６と、前記係合凹部３２ｘの開口端縁とを係合させてなるものであり、操作部３に対する紙葉類の配置領域外から紙葉類の配置領域内へ向かう方向へのスライド操作を受けた際に前記ロック爪２３６と前記係合凹部３２ｘの開口端縁との係止状態が解除される。
【００２６】
また、前記ロック爪２３６には、基端寄りに第１係合部２３６ａ、先端寄りに第２係合部２３６ｂを形成していて、第１係合部２３６ａと前記係合凹部３２ｘの開口端縁とを係合させた状態で前記綴じ桿支持部材２２を全閉状態に保持するようにしているとともに、第２係合部２３６ｂと前記係合凹部３２ｘの開口端縁とを係合させた状態で前記綴じ桿支持部材２２を全閉状態と全開状態との中間の状態である半開状態に保持するようにしている。すなわち、前記ロック機構Ｒは、前記全閉状態と前記半開状態とに前記綴じ桿支持部材２２を選択的に保持可能である。
【００２７】
このような綴じ具２において、操作部３の操作つまみ３１１を紙葉類の配置領域外から紙葉類の配置領域内へ向かう方向、すなわち操作つまみ３１１が紙葉類の綴じ端縁に沿って綴じ具２の中央に向かう方向である図４における矢印ｘ方向へスライド操作させると、前記係合凹部３２ｘを有するロック板３２も図４における矢印ｘ方向に移動して図４の想像線に示す位置に達し、前記ロック爪２３６との係合状態が解除されるとともにその全体が前記ロック爪挿通孔２４ａと合致して前記ロック爪２３６が移動可能な状態となる。
【００２８】
ここで、前記綴じ桿支持部材２２を全閉状態から半開状態に作動させる場合には、操作部３を紙葉類の配置領域外から紙葉類の配置領域内へ向かう方向へスライド操作させ、ねじりコイルバネＳ２からの作用により前記綴じ桿支持部材２２が全閉状態から変化したことを確認した後スライド操作を解除する。このように操作すると、ねじりコイルバネＳ２及び圧縮バネＳ１がそれぞれ作用することにより前記ロック爪２３１が前記ロック板３２と密着した状態で前記綴じ桿支持部材２２が半開状態に向けて変化し、前記綴じ桿支持部材２２が半開状態に達した時点で前記ロック爪２３６の第２係合部２３６ｂと前記係合凹部３２ｘの開口端縁とが係合して前記綴じ桿支持部材２２が半開状態に係止される。
【００２９】
その際、紙葉類は、前記綴じパイプ２１２との摩擦力により、上側略半分は第１支持要素２３側、残りは第２支持要素２４側に追随して移動する。
【００３０】
本実施形態に係る綴じ具２は、以上に述べたように、前記操作部３を紙葉類の配置領域内に配し、この操作部３が紙葉類の配置領域外から紙葉類の配置領域内へ向かう方向へのスライド操作を受け前記ロック機構Ｒの保持状態を解除する機能を有するので、紙葉類の配置領域内に指等を入れた状態で操作を行う必要をなくすことができる。すなわち、紙葉類の配置領域内に指等を入れてから操作を行う態様と比較して、指等が紙葉類と干渉して使いづらく感じられる不具合の発生を抑えることができる。さらに、このような操作部３を１つだけ設けるようにしているので、前記ロック機構Ｒの保持状態の解除を片手で行うこともできる。
【００３１】
前記綴じ桿支持部材２２が、第１支持要素２３と第２支持要素２４とを前記蝶番部２５を介して蝶着してなるとともに、前記第１支持要素２３にロック爪２３６を形成し、第２支持要素２４にこのロック爪２３６を収納可能な空間２ｓを形成しているので、前記空間２ｓにロック爪２３６を係止するロック板３２を外観を損ねずに無理なく配置でき、このような綴じ具２を容易に実現できる。また、第１支持要素２３を表表紙１２、第２支持要素２４を裏表紙１３に止着し、前記綴じパイプ２１２及び綴じピン２１１をこれら第１支持要素２３及び第２支持要素２４の回動中心を中心とする円弧状に形成しているので、表紙体１を見開く操作に連動させて該第１支持要素２３及び第２支持要素２４を全開位置に向けて作動させることができ、紙葉類を見開く際に第１支持要素２３及び第２支持要素２４に干渉する不具合の発生を抑えることができる。
【００３２】
前記ロック機構Ｒが、前記ロック爪２３６と、前記ロック板３２に形成した係合凹部３２ｘの開口端縁とを係合させてなるものであるとともに、前記第２支持要素２４にロック爪挿通凹孔２４ａを形成し、操作部３に対する前記スライド操作を受けた際に前記ロック爪２３６と前記開口端縁との係合状態が解除されるので、簡単な構成で前記空間２ｓにロック爪２３６を係止するロック板３２を配置しつつ前記綴じ桿支持部材２２を係止する構成を無理なく実現できる。
【００３３】
前記操作部３を圧縮バネにより紙葉類の配置領域外側に付勢するようにしているので、ロック機構Ｒが安定して前記綴じ桿支持部材２２を保持できるようになり、従って紙葉類を安定して綴じ具１に綴じておけるようにすることができる。
【００３４】
前記綴じ桿支持部材２２をねじりコイルバネＳ２により全開状態側に付勢しているので、前記操作部３に対する操作を受けてロック機構Ｒの係止状態が解除された際に前記綴じ桿支持部材２２が全開状態側に向けて作動し、紙葉類の出し入れを容易に行うことができる。
【００３５】
前記ロック機構Ｒが、前記綴じ桿支持部材２２を、前記全閉状態と、前記全閉状態及び全開状態の中間の状態である半開状態とに選択的に保持可能であるので、前記綴じ桿支持部材２２を半開状態として、紙葉類がバラバラになる不具合の発生を抑えつつ紙葉類を見開き状態にしやすくでき、従って紙葉類をこのような綴じ具に綴じた際に紙葉類に記された内容を探しやすくすることができる。
【００３６】
なお、本発明は以上に述べた実施形態に限られない。
【００３７】
例えば、前記綴じ桿支持部材が、第１支持要素と第２支持要素とを接離可能に支持する態様のものであっても、リンク機構等を利用して紙葉類の配置領域外から紙葉類の配置領域内へ向かう方向へのスライド操作を受けロック機構の保持状態を解除する機能を有する操作部とを有するものであれば、上述した主要な効果、すなわち紙葉類の配置領域内に指等を入れてから操作を行う態様と比較して、指等が紙葉類と干渉して使いづらく感じられる不具合の発生を抑えることができる効果を得ることはできる。
【００３８】
また、上述した実施形態におけるロック板に形成した係合凹部にロック爪を係合させる態様に代えて、例えば操作部とリンク機構等を利用して接続した被係合爪をロック爪に係合させておくとともに、操作部が紙葉類の配置領域外から紙葉類の配置領域内へ向かう方向へのスライド操作を受けた際に前記リンク機構等が作動して被係合爪とロック爪との係合が解除される態様を採用してもよい。加えて、ロック機構は、係合凹部とロック爪との係合や、被係合爪とロック爪との係合を利用する態様の他に、例えばマグネットを利用して前記綴じ桿支持部材を全閉状態に保持する態様を採用し、操作部に対するスライド操作により該マグネットを前記綴じ桿支持部材から離間させて保持状態を解除するようにしてもよい。
【００３９】
さらに、ロック機構が、前記綴じ桿支持部材を、前記全閉状態のみに保持可能な態様を採用してもよく、逆に、前記全閉状態及び前記半開状態以外に、例えば前記半開状態と前記全開状態との中間の状態にも選択的に保持可能な態様を採用してもよい。
【００４０】
加えて、前記綴じ桿支持部材を全開状態側に付勢する支持部材付勢要素でなく、逆にねじりコイルバネ等を利用して前記綴じ桿支持部材全閉状態側に付勢する支持部材付勢要素を設けてもよい。
【００４１】
そして、対操作部付勢要素及び支持部材付勢要素は省略してもよく、また、上述した実施形態に述べた以外の構成のもの、例えば操作部の全体を樹脂で構成する態様において操作部の先端部を蛇腹状に形成して対操作部付勢要素を形成し、その先端を綴じ桿支持部材に当接させ、操作部に前記スライド操作が加えられると前記対操作部付勢要素が機能して操作部を紙葉類の配置領域外に向けて付勢する構成や、前記綴じ桿支持部材が、第１支持要素と第２支持要素とを接離可能に支持するものにおいてこれら両者を接続する圧縮バネを利用して支持部材付勢要素を形成し、操作部に前記スライド操作が加えられた際に前記圧縮バネの弾性力によりこれら第１支持要素と第２支持要素とが離間する構成を採用してもよい。
【図面の簡単な説明】
【００４２】
【図１】本発明の一実施形態に係る綴じ具を採用したファイルを示す斜視図。
【図２】同実施形態において綴じ桿支持部材を全開状態にしたファイルを示す斜視図。
【図３】同実施形態において綴じ桿支持部材を半開状態にしたファイルを示す斜視図。
【図４】同実施形態に係る綴じ具を示す平面図及び横断面図。
【図５】同実施形態に係る綴じ具の第１綴じ桿支持部材を示す図。
【図６】同実施形態に係る綴じ具の第２綴じ桿支持部材を示す図。
【図７】同実施形態に係る綴じ具の操作部を示す図。
【符号の説明】
【００４３】
Ｆ…ファイル
１…表紙体
２…綴じ具
２１…綴じ桿
２２…綴じ桿支持部材
２３…第１支持要素
２３６…ロック爪
２４…第２支持要素
２４ａ…ロック爪挿通孔（ロック爪挿通凹部）
２ｓ…ロック爪収納空間
３…操作部
３２…ロック板
３２ａ…係合凹部
Ｒ…ロック機構
【図１】
2006103001.tif 000003
【図２】
2006103001.tif 000004
【図３】
2006103001.tif 000005
【図４】
2006103001.tif 000006
【図５】
2006103001.tif 000007
【図６】
2006103001.tif 000008
【図７】
2006103001.tif 000009